(57)【要約】      （修正有）【課題】脱臭手段及び温度センサを少ない部品点数にして簡単に取り付けることができる冷蔵庫の提供。【解決手段】冷気を冷蔵室、野菜室等へと案内し冷却室へと循環させる冷気循環路（冷蔵室冷気戻り流路２９ａ）を備え、前記冷気循環路の一部に脱臭手段及び温度センサ４４を一体にユニット化して配置した構成としてある。これにより、脱臭手段と温度センサはユニット化した一つの部品となり、部品点数の削減が図れるとともに、冷気循環路にはこのユニット部品を取り付けるだけでよいから組立も簡単に行うことができる。【選択図】図１２
2015055420.tif 000002
【特許請求の範囲】
【請求項１】
冷蔵室、冷凍室、野菜室等を配置した冷蔵庫本体と、前記冷蔵室、冷凍室、野菜室等に供給する冷気を生成する冷却室と、前記冷却室からの冷気を前記冷蔵室、冷凍室、野菜室等へと案内し冷却室へと循環させる冷気循環路とを備え、前記冷気循環路の一部に脱臭手段及び温度センサを一体にユニット化して配置した冷蔵庫。
【請求項２】
冷気循環路の一部に脱臭手段及び温度センサを一体に保持するホルダーを設け、このホルダーは、脱臭フィルタと当該脱臭フィルタに光を照射する光源体及びこの光源体の制御基板を保持する脱臭手段保持部と、温度センサを保持するセンサ保持部とを備え、前記脱臭手段保持部とセンサ保持部は隣り合わせに並設するとともに、前記脱臭フィルタと温度センサはダクトの冷気流通部分に面する様に構成した請求項１記載の冷蔵庫。
【請求項３】
冷気循環路の一部に脱臭手段及び温度センサを一体に保持するホルダーを設け、このホルダーは、脱臭フィルタと当該脱臭フィルタに光を照射する光源体及びこの光源体の制御基板を保持する脱臭手段保持部と、温度センサを保持するセンサ保持部とを備え、前記脱臭手段保持部とセンサ保持部は隣り合わせに並設するとともに、これら両者間に仕切壁部を形成し、この仕切壁部の脱臭手段保持部側の面に前記光源体とその制御基板を配置するとともに、センサ保持部側に前記温度センサを配置し、かつ、前記温度センサと反対側の前記光源体と対向する部分に脱臭フィルタを配置し、前記脱臭フィルタと前記温度センサをダクトの冷気流通部分に面する様に保持した請求項１記載の冷蔵庫。
【請求項４】
ホルダーは冷気循環路を構成する内箱の背面壁に装着し、前記ホルダーを覆う如くダクトカバーを前記内箱の背面壁に取り付けた請求項１〜３のいずれか１項記載の冷蔵庫。
【発明の詳細な説明】
【技術分野】
【０００１】
本発明は脱臭装置を備えた冷蔵庫に関するものである。
【背景技術】
【０００２】
一般に冷蔵庫は、冷蔵室、冷凍室、野菜室等に様々な食品が収納され、冷却保存しているが、この食品の中には臭気を放散するものもあり、この臭気を脱臭したり庫内を殺菌したりすることが要望されている。
【０００３】
そのため、冷蔵室、冷凍室、野菜室等に冷気を供給循環させる冷気循環路の一部に脱臭装置を設けたものが見られる（例えば、特許文献１参照）。
【０００４】
図１４は特許文献１に記載されている冷蔵庫を示し、この冷蔵庫では冷蔵室１０１及び新温度帯室１０２を冷却した後の冷気の戻り風路１０３に脱臭手段１０４が設けてある。
【０００５】
この構成の冷蔵庫は、前記脱臭手段に含まれている酸化銀あるいは酸化チタンが光触媒反応をおこし、ＯＨラジカルを発生し、冷気中の臭気を分解したり、菌の活性を不活化して除菌したりするというものであり、脱臭手段１０４は斜めに設置して戻り風路１０３に隙間１０５を形成し通風抵抗も少なくしている。
【先行技術文献】
【特許文献】
【０００６】
【特許文献１】特開２０１３−５７４７１号公報
【発明の概要】
【発明が解決しようとする課題】
【０００７】
上記特許文献１の構成によれば食品から放散される臭気を脱臭手段１０４で脱臭し、除菌することができるが、冷蔵庫は冷蔵室等の温度を所定温度に制御するための温度センサが設けられており、この温度センサも戻り風路１０３に設けられている。そして、前記温度センサと脱臭手段は別々に設けられており、部品点数が増加し構成が複雑化するとともに組立に手間がかかるという課題があった。
【０００８】
本発明はこのような点に鑑みてなしたもので、脱臭手段及び温度センサを少ない部品点数で簡単に取り付けることができる冷蔵庫の提供を目的としたものである。
【課題を解決するための手段】
【０００９】
本発明は、上記目的を達成するため、冷気を冷蔵室、野菜室等へと案内し冷却室へと循環させる冷気循環路を備え、前記冷気循環路の一部に脱臭手段及び温度センサを一体にユニット化して配置した構成としてある。
【００１０】
これにより、脱臭手段と温度センサは一つのユニット部品となり、部品点数の削減が図れるとともに、冷気循環路にはこのユニット部品を取り付けるだけでよいから組立も簡単に行うことができる。
【発明の効果】
【００１１】
本発明は、少ない部品点数にして脱臭手段及び温度センサを冷気循環路に簡単に取り付けることができる冷蔵庫を提供できる。
【図面の簡単な説明】
【００１２】
【図１】本発明の実施の形態１における冷蔵庫の正面図
【図２】同図１のＡ−Ａ概略断面図
【図３】同実施の形態１における冷蔵庫の冷気ダクト配置構成を示す説明図
【図４】同実施の形態１における冷蔵庫の冷蔵室内要部を示す分解斜視図
【図５】同実施の形態１における冷蔵庫の冷蔵室と冷蔵室ダクトのダクトカバーとを示す正面図
【図６】同実施の形態１における冷蔵庫の冷蔵室ダクトおよび野菜室ダクトが貫通する仕切板の斜視図
【図７】同図６における仕切板の分解斜視図
【図８】同図７における仕切板の要部を拡大して示す分解斜視図
【図９】同実施の形態１における冷蔵庫の冷蔵室ダクトの内面側を示す分解斜視図
【図１０】同実施の形態１における冷蔵庫の脱臭手段と温度センサを一体にユニット化したホルダーの斜視図
【図１１】同図１０のホルダーを同図Ｘ方向から見た正面図
【図１２】同実施の形態１における冷蔵庫の冷気戻り流路のホルダー取付部分を示す断面図
【図１３】同実施の形態１における冷蔵庫の冷気流れとホルダーの位置関係を示す説明図
【図１４】従来の冷蔵庫におけるダンパ設置部分の分解斜視図
【発明を実施するための形態】
【００１３】
第１の発明は、冷蔵室、冷凍室、野菜室等を配置した冷蔵庫本体と、前記冷蔵室、冷凍室、野菜室等に供給する冷気を生成する冷却室と、前記冷却室からの冷気を前記冷蔵室、冷凍室、野菜室等へと案内し冷却室へと循環させる冷気循環路とを備え、前記冷気循環路の一部に脱臭手段及び温度センサを一体にユニット化して配置した構成としてある。
【００１４】
これにより、脱臭手段と温度センサは一つのユニット部品となり、部品点数の削減が図れるとともに、冷気循環路にはこのユニット部品を取り付けるだけでよいから組立も簡単に行うことができる。
【００１５】
第２の発明は、第１の発明において、前記冷気循環路の一部に脱臭手段及び温度センサを一体に保持するホルダーを設け、このホルダーは、脱臭フィルタと当該脱臭フィルタに光を照射する光源体及びこの光源体の制御基板を保持する脱臭手段保持部と、温度センサを保持するセンサ保持部とを備え、前記脱臭手段保持部とセンサ保持部は隣り合わせに並設するとともに、前記脱臭フィルタと温度センサはダクトの冷気流通部分に面する様に構成してある。
【００１６】
これにより、脱臭手段と温度センサをコンパクトに一体化でき、しかもそのそれぞれは冷気循環路内を流れる冷気に確実に触れるようになり、冷気循環路内の狭い通路内に一体化して設けていても良好に脱臭、除菌等を行い、かつ、温度検出することができる。
【００１７】
第３の発明は、第１の発明において、前記冷気循環路の一部に脱臭手段及び温度センサを一体に保持するホルダーを設け、このホルダーは、脱臭フィルタと当該脱臭フィルタに光を照射する光源体及びこの光源体の制御基板を保持する脱臭手段保持部と、温度センサを保持するセンサ保持部とを備え、前記脱臭手段保持部とセンサ保持部は隣り合わせに並設するとともに、これら両者間に仕切壁部を形成し、この仕切壁部の脱臭手段保持部側の面に前記光源体とその制御基板を配置するとともに、センサ保持部側に前記温度センサを配置し、かつ、前記温度センサと反対側の前記光源体と対向する部分に脱臭フィルタを配置し、前記脱臭フィルタと前記温度センサをダクトの冷気流通部分に面する様に保持した
構成としてある。
【００１８】
これにより、前記第２の発明の効果に加え、脱臭フィルタに光を照射する光源体及びこの光源体の制御基板が発する熱の温度センサへの影響を仕切壁部によって排除でき、脱臭手段と温度センサとを一体化してコンパクト化していても温度センサによる温度検出精度は高く、信頼性の高いものとすることができる。
【００１９】
第４の発明は、第１〜第３の発明において、前記ホルダーは冷気循環路を構成する内箱の背面壁に装着し、前記ホルダーを覆う如くダクトカバーを前記内箱の背面壁に取り付けた構成としてある。
【００２０】
これにより、ホルダーは内箱内の広い空間内で簡単に取り付けることができ、組立性が向上する。
【００２１】
以下、本発明の実施の形態について、図面を参照しながら説明する。なお、この実施の形態によって本発明が限定されるものではない。
【００２２】
（実施の形態１）
図１は本発明の実施の形態１における冷蔵庫の正面図、図２は同図１のＡ−Ａ概略断面図、図３は同実施の形態１における冷蔵庫の冷気ダクト配置構成を示す説明図である。
【００２３】
図１〜図３において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に充填された硬質発泡ウレタン等の発泡断熱材４とから構成されており、仕切板によって複数の貯蔵室が形成されている。また、前記冷蔵庫本体１の各貯蔵室は冷蔵庫本体１と同様の断熱構成を採用した回動式或いは引出し式の扉５、６、７で開閉自在となっている。
【００２４】
冷蔵庫本体１内に形成された貯蔵室は、最上部の冷蔵室８と、冷蔵室８の下に設けられた温度帯切り替え可能な切替室９と、切替室９の横に設けられた製氷室１０と、切替室９および製氷室１０と最下部の野菜室１１との間に設けられた冷凍室１２で構成されている。そして、前記冷蔵室８にはその下部にパーシャル室８ａが形成されている。
【００２５】
冷凍室１２の背面には冷却室１４があり、冷気を生成する冷却器１５と、冷気を各室に供給する冷気送風ファン１６とを有し、冷却器１５下方にはさらに除霜手段１７が設置されている。
【００２６】
冷却器１５は、圧縮機１８と、コンデンサ（図示せず）と、放熱用の放熱パイプ（図示せず）と、キャピラリーチューブ（図示せず）とを環状に接続してなる冷凍サイクルを構成しており、圧縮機１８によって圧縮された冷媒の循環によって冷却を行う。
【００２７】
冷却室１４によって生成した冷気は、前記冷却室１４を形成する区画壁２０に設けた冷凍冷気供給口２１と冷凍室ダンパ２２とを介して冷凍室１２及び製氷室１０とその横の切替室９に供給循環されるとともに、図３に示す冷蔵室ダクト２３及び冷蔵室ダクト２３の途中から分岐した野菜室ダクト２４を介して冷蔵室８及び野菜室１１に供給循環される。
【００２８】
冷蔵室ダクト２３は、冷却室１４から冷蔵室８に向けて上向きに形成され、冷蔵室８と製氷室１０及びその横の切替室９との間を仕切る仕切板２５を貫通して冷蔵室８背面に設けられるとともに、仕切板２５貫通部分で野菜室ダクト２４が分岐されている。そして、さらに冷蔵室ダクト２３には冷蔵室用冷気吹出し口２３ａとパーシャル室用冷気吹出し口
２３ｂが形成されている。
【００２９】
また、野菜室ダクト２４は前記分岐部から野菜室１１に向け下向きに形成され、冷凍室１２背面の冷却室１４横を通って野菜室１１の背面に開口２４ａしている。
【００３０】
次にダクト構成について図４〜図９を用いて説明する。
【００３１】
図４は実施の形態１における冷蔵庫の冷蔵室内要部を示す分解斜視図、図５は同実施の形態１における冷蔵庫の冷蔵室と冷蔵室ダクトのダクトカバーとを示す正面図、図６は同実施の形態１における冷蔵庫の冷蔵室ダクトおよび野菜室ダクトが貫通する仕切板の斜視図、図７は同図６における仕切板の分解斜視図、図８は同図７における仕切板の要部を拡大して示す分解斜視図、図９は同実施の形態１における冷蔵庫の冷蔵室ダクトの内面側を示す分解斜視図である。
【００３２】
図４〜図９において、前記した冷蔵室ダクト２３と野菜室ダクト２４は仕切板２５背部に設けた分岐ユニット２６によって分岐されている。この分岐ユニット２６は、図８に示す様に、冷蔵室ダクト部２７と野菜室ダクト部２８ならびに冷蔵室冷気戻りダクト部２９を有し、前記野菜室ダクト部２８内に野菜室ダンパ３０を組み込んでその上方から蓋体３１を装着し野菜室ダクト部２８を閉塞してユニット化してある。
【００３３】
このユニット化した状態の分岐ユニット２６は、図７に示すように前記仕切板２５の下板３２と上板３３との間に挟み込んで下板３２と上板３３との間に発泡断熱材を充填発泡させ仕切板２５の後部に一体化してある。
【００３４】
分岐ユニット２６に設けた冷蔵室ダクト部２７は、その上端開口部分に冷蔵室ダンパ３４を介して冷蔵室背面の冷蔵室ダクト２３に接続するとともに、冷蔵室冷気戻りダクト部２９は図３に示す冷凍室１２背面の野菜室ダクト２４横に設けた冷蔵室戻りダクト３５に接続してあり、冷却室１４で生成された冷気が冷蔵室ダンパ３４、冷蔵室ダクト２３、冷蔵室８、冷蔵室戻りダクト３５を介して循環するようになっている。
【００３５】
上記冷蔵室ダクト２３は図４に示す様に冷蔵室８を構成する内箱３の背面壁３ａにダクトカバー２３１を装着してこれら両者間に形成し、この内箱３の背面壁３ａとダクトカバー２３１との間に前記した冷蔵室ダンパ３４を組み込んでいる。すなわち、ダクトカバー２３１は内箱背面壁側に位置するダクトカバー主板２３１ａと冷蔵室内部側に面することになるダクトカバー表面板２３１ｂとからなっていて、図９に示す様にダクトカバー主板２３１ａの両側凸条部２３２が内箱３の背面壁３ａに当接してこれらの間に冷蔵室ダクト２３を形成している。そして、前記ダクトカバー主板２３１ａの下部の両側凸条部２３２間に冷蔵室ダンパ３４を組み込み、この冷蔵室ダンパ３４の前記内箱背面壁側から前記ダクトカバー主板２３１ａの両側凸条部２３２に硬質合成樹脂で形成したダンパカバー２３３を嵌めこみ装着してある。これにより前記冷蔵室ダンパ３４は冷蔵室ダクト２３内のダンパカバー２３３で気密状態に覆われて取り付け固定される。
【００３６】
なお、前記冷蔵室ダンパ３４は、図９に示しているように冷蔵室ダンパ部３４ａの横にパーシャル室用冷気吹出し口２３ｂを開閉するパーシャル室ダンパ部３４ｂを設けたツインダンパとなっており、パーシャル室８ａへの冷気をこのパーシャル室ダンパ部３４ｂで開閉制御するようになっている。
【００３７】
また、前記分岐ユニット２６に設けた野菜室ダクト部２８は図３に示す下向きの野菜室ダクト２４に接続し、冷却室１４で生成された冷気が前記冷蔵室ダクト２３の上向き部分から分岐し野菜室ダンパ３０を介して下向きの野菜室ダクト２４下部より野菜室１１に供
給されるようになっている。
【００３８】
ここで、前記冷蔵室ダクト２３を構成する部材のうち、ダクトカバー表面板２３１ｂはダクトカバー主板２３１ａを覆うように内箱背面壁３ａに装着して冷蔵室ダクト２３の横の内箱背面壁３ａとの間に冷蔵室冷気戻り流路２９ａを形成している。
【００３９】
そして、図５、図１３に示す様に、前記冷蔵室冷気戻り流路２９ａに脱臭手段と冷蔵室温度を検出する温度センサとを一体にユニット化したホルダー３７が設けてあり、以下その構成を図１０〜図１３を用いて説明する。
【００４０】
図１０は実施の形態１における冷蔵庫の脱臭手段と温度センサを一体にユニット化したホルダーの斜視図、図１１は図１０のホルダーを同図Ｘ矢印方向から見た正面図、図１２は同実施の形態１における冷蔵庫の冷気戻り流路のホルダー取付部分を示す断面図、図１３は同実施の形態１における冷蔵庫の冷気流れとホルダーの位置関係を示す説明図である。
【００４１】
図１０〜図１３において、ホルダ３７は透明の合成樹脂で形成してあり、略長方形の基板部３８に、略四角枠状に形成した脱臭手段保持部３９と、前記脱臭手段保持部３９の四角枠の枠壁からなる仕切壁部４０を介して隣り合わせに並設したセンサ保持部４１とを一体形成して構成し、脱臭手段４３と温度センサ４４を一体に保持してこれらをユニット化している。
【００４２】
脱臭手段４３は、脱臭フィルタ４５と、当該脱臭フィルタ４５に光を照射する光源体４６と、光源体４６を制御する制御基板４７とからなる。
【００４３】
脱臭フィルタ４５は不織布などの繊維状のフィルタに酸化マンガン等の金属酸化物の触媒成分を含浸あるいは塗布し、更に光触媒反応を有する酸化銀や酸化チタンも同時に含有させたものであり、脱臭手段保持部３９のセンサ保持部４１と反対側の略四角枠部分の壁外面に形成した略Ｌ字型のフィルタ保持部４８に装着してある。
【００４４】
光源体４６は紫外領域の波長の光（３８０ｎｍのＵＶ光）を発光するＵＶ−ＬＥＤあるいは約４００ｎｍ〜５８０ｎｍ程度の可視光の青色領域の波長の光を発するＬＥＤで構成してあり、制御基板４７に搭載してある。
【００４５】
制御基板４７は仕切壁部４０のセンサ保持部４１とは反対側の面に取り付けて前記脱臭フィルタ４５と対向させてあり、光源体４６からの光が透明の仕切壁部４０を透過して脱臭フィルタ４５に照射するようにしてある。
【００４６】
一方、センサ保持部４１に装着した温度センサ４４（図１２参照）はそのセンサ部４４ａを脱臭手段保持部３９の仕切壁部４０で仕切られたセンサ保持部４１の上部に装着してあり、図１１に示すリード線４９を仕切壁部４０に沿わせて下方へ引き下ろし、ホルダー３７の基板部３８に形成した孔５０を介して前記制御基板４７からのリード線５１とともに扉内部に引き込んである。
【００４７】
ここで、前記ホルダー３７はその長手方向を冷蔵室冷気戻り流路２９ａに沿わせて冷気流通抵抗を減じるように配置してあり、内箱背面壁３ａに取り付けたとき、図１２に示す様に略四角枠の脱臭手段保持部３９の底壁３９ａ、フィルタ保持部４８、仕切壁部４０外方とセンサ保持部４１の外周部分に冷蔵室冷気戻り流路２９ａとなる空間部５２を形成し、フィルタ保持部４８に保持させた脱臭フィルタ４５及びセンサ保持部４１に保持させた温度センサ４４が冷蔵室冷気戻り流路２９ａを流れる冷気に触れるようになっている。な
お、ホルダー３７のセンサ保持部４１には冷気と温度センサ４４の接触を確実なものとするために複数のスリット５３が冷気の流れ方向に垂直な面に形成してある。
【００４８】
以上のように構成された本実施の形態における冷蔵庫は、食品の出し入れ等により冷蔵室８、冷凍室１２、野菜室１１のいずれかが設定温度より高くなると、圧縮機１８と冷気送風ファン１６が駆動され、冷却器１５で生成された冷気が、冷気送風ファン１６により、冷蔵室ダクト２３、冷凍冷気供給口２１、野菜室ダクト２４に供給される。
【００４９】
例えば冷蔵室８の冷蔵室冷気戻り流路２９ａに設けてある温度センサ４４の検知温度が冷蔵室８の設定温度以上となれば、圧縮機１８と冷気送風ファン１６が駆動され、冷蔵室ダンパ３４が開き、冷却室１４からの冷気が冷蔵室ダクト２３を介して冷蔵室８に供給され、冷蔵室８を冷却した後、冷蔵室冷気戻り流路２９ａ、冷蔵室戻りダクト３５を介して冷却室１４に吸い込まれ、再び冷却器１５で冷却されて冷蔵室８に供給される循環を繰り返して冷却を行う。
【００５０】
そして、冷蔵室８が設定温度まで冷却されたことを温度センサ４４が検知すると、圧縮機１８と冷気送風ファン１６が停止し、冷却運転を終える。
【００５１】
一方、上記冷却動作中、この冷蔵庫では、上記冷蔵室８の冷蔵室冷気戻り流路２９ａに脱臭手段４３が設けてあるから、冷気中の臭気を脱臭し、除菌する。すなわち、冷蔵室冷気戻り流路２９ａ中の冷気はホルダー３７に保持された脱臭フィルタ４５に沿って冷却器１５へと流れる際、その一部が脱臭フィルタ４５の表面に触れて臭気を吸着される。吸着された臭気は脱臭フィルタ４５の金属酸化物の酸化反応によって臭い閾値の高い成分へと分解される。また、光源体４６からの光によって、脱臭フィルタ４５に含まれる酸化銀あるいは酸化チタンが励起され光触媒反応をおこし、ＯＨラジカルを発生し、脱臭フィルタ４５に吸着された臭気の分解を促進するとともに、脱臭フィルタ４５表面の菌の活性を不活化し、除菌する。
【００５２】
このようにこの冷蔵庫は温度センサ４４による冷却制御と脱臭手段４３による脱臭を行うが、この温度センサ４４と脱臭手段４３とはホルダー３７に保持させて一体にユニット化してあるから、脱臭手段４３と温度センサ４４は一つのユニット部品となり、部品点数の削減が図れるとともに、冷蔵室冷気戻り流路２９ａにはこのユニット部品を取り付けるだけでよいから組立も簡単に行うことができる。そして、冷気温度の高い冷蔵室冷気戻り流路２９ａにユニットを設置するためユニット内の基板等に発生する結露を低減できる。
【００５３】
また、前記温度センサ４４と脱臭手段４３とを一体にユニット化しているホルダー３７には、脱臭フィルタ４５と当該脱臭フィルタ４５に光を照射する光源体４６及びこの光源体４６の制御基板４７とを保持させ、これらを保持する脱臭手段保持部３９と温度センサ４４を保持するセンサ保持部４１とを隣り合わせに並設して、脱臭フィルタ４５と温度センサ４４とが冷気流通部分に面する様にしてあるから、脱臭手段４３と温度センサ４４をコンパクトに一体化でき、しかもそのそれぞれは冷蔵室冷気戻り流路２９ａ内を流れる冷気に確実に触れるようになり、冷蔵室冷気戻り流路２９ａ内の狭い通路内に一体化して設けていても良好に脱臭、除菌等を行い、かつ、温度検出することができる。
【００５４】
さらに、上記ホルダー３７には脱臭手段保持部３９とセンサ保持部４１との間に仕切壁部４０を形成し、この仕切壁部４０の脱臭手段保持部３９側の面に前記光源体４６とその制御基板４７を配置するとともに、センサ保持部４１側に前記温度センサ４４を配置しているから、脱臭フィルタ４５に光を照射する光源体４６及びこの光源体４６の制御基板４７が熱を発してもその熱の温度センサ４４への影響を仕切壁部４０によって遮断し排除できる。したがって、脱臭手段４３と温度センサ４４とを一体化してコンパクト化していて
も温度センサ４４による温度検出精度は高く、信頼性の高いものとすることができる。
【００５５】
また、前記ホルダー３７は冷蔵室冷気戻り流路２９ａを構成する内箱の背面壁に装着し、前記ホルダー３７を覆う如くダクトカバー２３１を前記内箱３の背面壁３ａに取り付けて組み立ててあるから、ホルダー３７は内箱内の広い空間内で簡単に取り付けることができ、組立性が向上する。
【００５６】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００５７】
例えば、本実施の形態では、脱臭手段４３と温度センサ４４とはこれを一体にユニット化して冷蔵室冷気戻り流路２９ａに設けたものを例示したが、これは冷蔵室ダクト２３あるいは野菜室ダクト２４であってもよく、要は冷却室１４と冷蔵室８、野菜室１１、冷凍室１２等の各室との間を結ぶ冷気循循環路となる部分のいずれかに設ければよく、本実施の形態で例示した冷気の循環する流路はすべてこの冷気循環路に相当するものである。
【産業上の利用可能性】
【００５８】
本発明は、脱臭手段及び温度センサを少ない部品点数にして簡単に取り付けることがで、き、家庭用および業務用など様々な種類および大きさの冷蔵庫に広く適用可能である。
【符号の説明】
【００５９】
１  冷蔵庫本体
２  外箱
３  内箱
３ａ  背面壁（内箱背面壁）
４  発泡断熱材
５、６、７  扉
８  冷蔵室
８ａ  パーシャル室
９  切替室
１０  製氷室
１１  野菜室
１２  冷凍室
１４  冷却室
１５  冷却器
１６  冷気送風ファン
１８  圧縮機
２１  冷凍冷気供給口
２２  冷凍室ダンパ
２２ｂ  冷凍冷気戻り口
２３  冷蔵室ダクト
２３１  ダクトカバー
２３１ａ  ダクトカバー主板
２３１ｂ  ダクトカバー表面板
２３３  ダンパカバー
２４  野菜室ダクト
２５  仕切板
２７  冷蔵室ダクト部
２８  野菜室ダクト部
２９  冷蔵室冷気戻りダクト部
２９ａ  冷蔵室冷気戻り流路
３０  野菜室ダンパ
３４  冷蔵室ダンパ
３５  冷蔵室戻りダクト
３７  ホルダー
３８  基板部
３９  脱臭手段保持部
３９ａ  底壁
４０  仕切壁部
４１  センサ保持部
４３  脱臭手段
４４  温度センサ
４４ａ  センサ部
４５  脱臭フィルタ
４６  光源体
４７  制御基板
４８  フィルタ保持部
４９、５１  リード線
５０  孔
５２  空間
５３  スリット
【図１】
2015055420.tif 000003
【図２】
2015055420.tif 000004
【図３】
2015055420.tif 000005
【図４】
2015055420.tif 000006
【図５】
2015055420.tif 000007
【図６】
2015055420.tif 000008
【図７】
2015055420.tif 000009
【図８】
2015055420.tif 000010
【図９】
2015055420.tif 000011
【図１０】
2015055420.tif 000012
【図１１】
2015055420.tif 000013
【図１２】
2015055420.tif 000014
【図１３】
2015055420.tif 000015
【図１４】
2015055420.tif 000016